(57)【要約】【課題】  発光装置及び／または音響発生装置をコアロボット玩具と大型ロボット玩具とで共用できる形態変形玩具を得る。【解決手段】    コアとなるコアロボット玩具１に対して他のロボット玩具を分割して得た複数の分割部品３１，３３を装着することにより大型ロボット玩具２９を構成する。コアロボット玩具１は、外部からスイッチ１３が操作されると発光する発光表示部１１が内蔵されている。コアロボット玩具１及び複数の分割部品３１，３３は、コアロボット玩具１に対して複数の分割部品３１，３３を装着した状態で、分割部品３１の操作部３５を操作することにより、スイッチ１３２を操作できるように構成する。【選択図】    図３
2006346175.tif 000002
【特許請求の範囲】
【請求項１】
コアとなるコアロボット玩具に対して他のロボット玩具を分割して得た複数の分割部品を装着することにより大型ロボット玩具を構成する形態変形玩具であって、
前記コアロボット玩具は、外部からスイッチが操作されると発光する発光装置及び／または音を発生する音響発生装置が内蔵されており、
前記コアロボット玩具及び前記複数の分割部品は、前記コアロボット玩具に対して前記複数の分割部品を装着した状態で、前記分割部品の操作部を操作することにより、前記スイッチが操作できるように構成されていることを特徴とする形態変形玩具。
【請求項２】
前記コアロボット玩具は、ロボット玩具本体の内部に前記スイッチを備え、前記コアロボット玩具の一つの外装部品を介して前記スイッチが操作されるように構成されており、
前記一つの外装部品は、コアロボット玩具単体で使用されるときには、前記スイッチを操作可能な第１の位置にあり、前記コアロボット玩具に対して前記複数の分割部品を装着する際には、前記スイッチを前記ロボット玩具本体の外部に露出させることができる第２の位置に変位し得るように前記ロボット玩具本体に対して変位機構を介して取り付けられており、
前記操作部を備えた前記分割部品の内部には、前記コアロボット玩具に対して装着された状態で、前記スイッチを直接的に操作することを可能にする操作機構が内蔵されている請求項１に記載の形態変形玩具。
【請求項３】
前記操作部を備えた分割部品は、複数の組立部品から構成されており、
前記複数の組立部品の内部には、前記操作機構が分割されて内蔵されている請求項２に記載の形態変形玩具。
【請求項４】
前記コアロボット玩具は、頭部と、胴部と、一対の腕部と、一対の脚部とを備えた人形ロボット玩具であり、
前記胴部の正面側に発光表示部が設けられており、
前記一つの外装部品は前記頭部を含み前記変位機構を介して前記ロボット玩具本体に連結された構造を有しており、
前記コアロボット玩具単体で使用されるときには、前記頭部が前記胴部の上に位置し、前記コアロボット玩具に前記複数の分割部品が装着される際には、前記頭部が前記胴部の背面側に位置して前記スイッチを露出させるように前記変位機構は構成され、
前記コアロボット玩具に前記複数の分割部品が装着される際に、前記一対の脚部が前記胴部の背面に沿って位置し得るように、一対の脚部が変形可能に構成され、
前記コアロボット玩具に前記複数の分割部品が装着された状態で、前記コアロボット玩具は前記スイッチが上方に位置する姿勢で前記大型ロボット玩具の胴部の一部を構成し、
前記大型ロボット玩具の頭部と前記操作部とを含む前記分割部品の内部には、前記コアロボット玩具に対して装着された状態で、前記スイッチを直接的に操作することを可能にする操作機構が内蔵されている請求項１に記載の形態変形玩具。
【請求項５】
前記操作部を備えた分割部品は、複数の組立部品から構成されており、
前記複数の組立部品の内部には、前記操作機構が分割されて内蔵され、
前記操作機構は、前記操作部の直線的な動きを、方向を変えながら前記スイッチまで伝達する方向変換型の力伝達機構によって構成されている請求項２または４に記載の形態変形玩具。
【請求項６】
前記操作部は前記胸部の正面側から背面側に向かって押し込まれるスライド部材であり、前記方向変換型の力伝達機構は、前記スライド部材の直線的な動きを、前記ロボット玩具本体内の前記スイッチに向かう方向の直線的な動きに変換するように構成されている請求項５に記載の形態変形玩具。
【発明の詳細な説明】
【技術分野】
【０００１】
本発明は、コアとなるコアロボット玩具に対して他のロボット玩具を分割して得た複数の分割部品を装着することにより大型ロボット玩具を構成する形態変形玩具に関するものである。
【背景技術】
【０００２】
実開平６−６６７８９号公報には、共通の光源を有していて、形態が変形すると発光する箇所が異なる形態変形玩具の一例が示されている。最近、コアとなるコアロボット玩具に対して他のロボット玩具を分割して得た複数の分割部品を装着することにより大型ロボット玩具を構成する形態変形玩具が提案されている。
【特許文献１】実開平６−６６７８９号公報
【発明の開示】
【発明が解決しようとする課題】
【０００３】
しかしながら、従来のコアロボット玩具を用いる形態変形玩具では、コアロボット玩具のときも、また大型ロボット玩具のときも発光及び／または音を発生するものは殆どない。これは音響発生装置や発光装置を、コアロボット玩具と大型ロボット玩具の双方に設けた構造にすると、構造が複雑化してコスト高になる問題が発生するためである。
【０００４】
本発明の目的は、発光装置及び／または音響発生装置をコアロボット玩具と大型ロボット玩具の双方で共用できる形態変形玩具を提供することにある。
【０００５】
本発明の他の目的は、発光装置及び／または音響発生装置をコアロボット玩具に装備して、大型ロボット玩具でも共用できるように構成した形態変形玩具を提供することにある。
【０００６】
本発明の他の目的は、発光装置及び／または音響発生装置を操作する操作部を備えた分割部品の機能または形態を変化させることができ、しかもこのようにしても発光装置及び／または音響発生装置の操作に支障が生じない形態変形玩具を提供することにある。
【０００７】
本発明の他の目的は、発光装置及び／または音響発生装置をコアロボット玩具に装備しても、大型ロボット玩具からのスイッチ操作を容易に行える形態変形玩具を提供することにある。
【０００８】
本発明の他の目的は、発光装置及び／または音響発生装置を操作する力の伝達方向を変えて伝えることができる形態変形玩具を提供することにある。
【課題を解決するための手段】
【０００９】
本発明の形態変形玩具は、コアとなるコアロボット玩具に対して他のロボット玩具を分割して得た複数の分割部品を装着することにより大型ロボット玩具を構成する。そしてコアロボット玩具は、外部からスイッチが操作されると発光する発光装置及び／または音を発生する音響発生装置を内蔵する。またコアロボット玩具及び他のロボット玩具を分割して得た複数の分割部品は、コアロボット玩具に対して複数の分割部品を装着した状態で、分割部品の操作部を操作することにより、スイッチが操作できるように構成されている。
【００１０】
本発明の形態変形玩具によれば、コアロボット玩具に内蔵した発光装置及び／または音響発生装置を、大型ロボット玩具においても使用できるので、大型ロボット玩具のための発光装置及び／または音響発生装置を用意する必要がなく、形態変形玩具のコストを低減することができる。
【００１１】
なおコアロボット玩具は、ロボット玩具本体の内部にスイッチを備え、コアロボット玩具の一つの外装部品（例えば人形ロボットであれば頭部等）を介してスイッチが操作されるように構成されているのが好ましい。なお、本願明細書で、ロボット玩具本体とは、少なくともスイッチを含むコアロボット玩具の構成部品をいう。この場合、コアロボット玩具単体で使用されるときには、スイッチを操作可能な第１の位置にあり、コアロボット玩具に対して複数の分割部品を装着して大型ロボット玩具が構成されているときには、スイッチをロボット玩具本体の外部に露出させることができる第２の位置に変位し得るように、一つの外装部品は、ロボット玩具本体に対して変位機構を介して取り付けられている。そして操作部を備えた分割部品の内部には、コアロボット玩具に対して装着された状態で、スイッチを直接的に操作することを可能にする操作機構を内蔵しておく。このような構成にすると、コアロボット玩具の一部を構成する外装部品を介さずに、直接大型ロボット玩具を構成するための分割部品により直接スイッチを操作することができる。そのためコアロボット玩具の組立精度及びコアロボット玩具と複数の分割部品との組立精度があまり高くない場合であっても、確実に大型ロボット玩具の操作部を操作することにより、スイッチを操作することができる。
【００１２】
また、操作部を備えた分割部品は、複数の組立部品から構成されていてもよい。この場合、複数の組立部品の内部には、操作機構を分割して内蔵することが好ましい。このような構成にすると、発光装置及び／または音響発生装置を操作する操作部を備えた分割部品を常に一体の物として構成する必要がなくなるため、その分割部品の製造が容易になる上、複数の組立部品の組み合わせを変えることにより、分割部品の形態を変更することもできる。しかも各組立部品の内部に操作機構は分割して内蔵されているため、組立部品の組み合わせを変えても、発光装置及び／または音響発生装置の操作には支障がない。
【００１３】
また、コアロボット玩具が人形ロボット玩具であれば、コアロボット玩具は、頭部と、胴部と、一対の腕部と、一対の脚部とを備える。そして胴部の正面側に発光表示部を設けることができる。この場合、前述の一つの外装部品は、頭部を含み変位機構を介してロボット玩具本体に連結された構造とする。コアロボット玩具単体で使用されるときには、頭部が胴部の上に位置する。そして、コアロボット玩具に複数の分割部品が装着される際には、頭部が胴部の背面側に位置してスイッチを露出させるように変位機構を構成する。そしてコアロボット玩具に複数の分割部品が装着される際には、一対の脚部が胴部の背面に沿って位置し得るように、一対の脚部を変形可能に構成する。なおコアロボット玩具に複数の分割部品が装着された状態で、コアロボット玩具はスイッチが上方に位置する姿勢で大型ロボット玩具の胴部の一部を構成する。この場合、大型ロボット玩具の頭部と操作部とを含む分割部品の内部には、コアロボット玩具に対して装着された状態で、スイッチを直接的に操作することを可能にする操作機構を内蔵するのが好ましい。このように大型ロボット玩具を構成すると、大型ロボット玩具を正面から見てもっとも目立ち且つ操作し易い位置となる大型ロボットの上半身部分に操作部を配置しても、コアロボット玩具に設けたスイッチを確実に操作することが可能になる。またコアロボット玩具を小型化して大型ロボット玩具に組み込むことができるので、大型ロボット玩具の外観を見ても、コアロボット玩具が存在していることが分かり難くなって、形態変形玩具を見る者の嗜好を高めることができる。
【００１４】
また、前述のように、操作部を備えた分割部品を複数の組立部品から構成する場合に、複数の組立部品の内部に操作機構を分割して内蔵する場合には、操作機構は、操作部の直線的な動きを、方向を変えながらスイッチまで伝達する方向変換型の力伝達機構によって構成するのが好ましい。このような力伝達機構を設けると、複雑な機構を用いずに、簡単に機構で発光装置及び／または音響発生装置を操作することを可能になる。
【００１５】
更に、操作部は大型ロボット玩具の胸部の正面側から背面側に向かって押し込まれるスライド部材により構成することができる。この場合、方向変換型の力伝達機構は、スライド部材の直線的な動きを、ロボット玩具本体内のスイッチに向かう方向の直線的な動きに変換するように構成されていることが好ましい。このように構成すると、発光装置及び／または音響発生装置を操作する力の伝達を簡単な機構で実現することができ、少ない部品点数で、大型ロボット玩具を構成することができる形態変形玩具を得ることができる。
【発明の効果】
【００１６】
本発明に係る形態変形玩具では、コアロボット玩具に、外部からスイッチが操作されると発光する発光装置及び／または音を発生する音響発生装置が内蔵されており、コアロボット玩具及び複数の分割部品は、コアロボット玩具に対して複数の分割部品を装着した状態で、分割部品の操作部を操作することにより、スイッチが操作できるように構成されているので、発光装置及び／または音響発生装置をコアロボット玩具と大型ロボット玩具とで共用することができる。そのため部品点数が少なくなって、形態変形玩具のコストの低減を図ることができる。
【発明を実施するための最良の形態】
【００１７】
以下、本発明の形態変形玩具の最良の形態を図面を参照しながら詳細に説明する。
【００１８】
図１（Ａ）及び（Ｂ）乃至図３（Ａ）及び（Ｂ）は、本実施の形態の形態変形玩具の構成を説明するために用いる図である。図１（Ａ）及び（Ｂ）は、本実施の形態で用いるコアロボット玩具の正面図及びその胴部を縦断して示した側面図であり、図２は本実施の形態で用いるコアロボット玩具の折り畳み状態を示す側面図であり、図３（Ａ）及び（Ｂ）は本実施の形態の形態変形玩具が大型ロボット玩具を構成している状態の正面図及びこの大型ロボット玩具の要部の構成の一部縦断側面図である。
【００１９】
まず、コアロボット玩具１は、図１（Ａ）及び（Ｂ）に示すように、頭部３と、この頭部３を上部に備えた胴部５と、この胴部５の左右に関節部を介して取り付けられた一対の腕部７と、この胴部５の下部に関節部を介して取り付けられた一対の脚部９とを備えた人形ロボット玩具である。胴部５の正面側には、発光装置の一部を構成する発光表示部１１が設けられている。発光表示部１１は、例えば発光ダイオードやランプ等で構成されている。発光装置は、この発光表示部１１と、後述するスイッチ１３、プリント回路基板１９及び電源回路２３、バッテリー２５とから構成される。
【００２０】
コアロボット玩具１は、本例では胴部５よりなるロボット玩具本体の内部にスイッチ１３を備え、コアロボット玩具１の一つの外装部品である頭部３を介してスイッチ１３が操作されるように構成されている。即ち、本例では、頭部３を押し下げることによりスイッチ１３が操作されるようになっている。胴部５は、内部が空洞になった胴部ケース５ａを備えている。この胴部ケース５ａの上部には、開口部１５が設けられている。この開口部１５に臨ませて胴部ケース５ａ内には、スイッチ１３が回路基板等からなる支持体１７で支持されて配置されている。この胴部ケース５ａ内には、プリント回路板１９が縦向きに内蔵されて支持されている。このプリント回路板１９には、スイッチ１３が操作されたとき発光表示部１１を発光させる発光制御回路２１と、この発光制御回路２１に給電する電源回路２３が設けられている。また、胴部ケース５ａ内には、電源回路２３に給電する乾電池の如きバッテリー２５が内蔵されている。
【００２１】
前述した一つの外装部品である頭部３は、ロボット玩具本体を構成する胴部５に対して変位機構２７を介して取り付けられている。変位機構２７は、コアロボット玩具１が単体で使用されるときには、スイッチ１３の操作が可能な第１の位置に頭部３が位置し、コアロボット玩具１に対して後述する複数の分割部品を装着する際には、スイッチ１３をロボット玩具本体としての胴部５の外部に露出させることができる第２の位置に頭部が変位し得るように胴部５に対して頭部３を取り付ける構造を有している。変位機構２７は、頭部３を上面に備えて下方に向かって変位することによりスイッチ１３を操作する支持板２７ａと、この支持板２７ａの一端を胴部５の肩部で回動自在に支持するヒンジ部２７ｂとで構成されている。図２に示すように、開口部１５は支持板２７ａで塞がれるようになっている。なおスイッチ１３は、内部にばね機構（復元機構）を備えたおり、キートップに加わる力が解除されると、ばね機構によりキートップを元の位置に戻す機能を有している。したがって支持板２７ａに加わる力が解除されると、支持板２７ａは、スイッチ１３のばね機構により元の位置に復帰する。
【００２２】
ここでスイッチ１３を操作可能な第１の位置とは、頭部３が図１（Ａ）及び（Ｂ）に示すように胴部５の上にほぼ直立している位置である。スイッチ１３をロボット玩具本体としての胴部５の外部に露出させることができる第２の位置とは、頭部３が図２に示すように変位機構２７のヒンジ部２７ｂを介して変位して胴部５の後側に存在する位置である。
【００２３】
各腕部７は、関節部７ａを介して胴部５に取り付けられている。また、各脚部９は、大腿部９ａと脛部９ｂと足部９ｃを備え、大腿部９ａは関節部９ｄで胴部５に接続され、大腿部９ａと脛部９ｂとは関節部９ｅで相互に接続されている。
【００２４】
このようなコアロボット玩具１の各関節は、図２に示すように、頭部３を変位機構２７のヒンジ部２７ｂを介して変位させて胴部５の後側に存在させ、且つ各脚部９を折り曲げて胴部５の後側に存在させて、コンパクトに折り畳むことができるように構成されている。また、このコアロボット玩具１は、図１（Ａ）及び（Ｂ）に示す姿勢で、頭部３を押し下げると、支持板２７ａがヒンジ部２７ｂを介して下向きに回動してスイッチ１３を押し、発光表示部１１を発光させることができる。
【００２５】
大型ロボット玩具２９は、図３（Ａ）及び（Ｂ）に示すように、コアとなるコアロボット玩具１に対して他のロボット玩具を分割して得た複数の分割部品３１，３３を装着することにより構成されている。即ち、コアロボット玩具１は、図２及び図３（Ｂ）に示すようにコンパクトに折り畳まれた状態で、その上部に分割部品３１が図示しない雄雌の接続機構で着脱可能に接続され、その下部に分割部品３３が図示しない雄雌の接続機構で着脱可能に接続されている。
【００２６】
分割部品３１は、胸部として機能する箱形の組立部品３１ａと、この組立部品３１ａの前に取り付けられた箱形の組立部品３１ｂと、組立部品３１ａの上部に取り付けられて頭部として機能する組立部品３１ｃと、組立部品３１ａの左右に関節部３１ｄを介して取り付けられて腕部として機能する組立部品３１ｅとから構成されている。折り畳まれた状態のコアロボット玩具１の上部に、箱形の組立部品３１ａの下部が図示しない雄雌の接続機構を介して着脱可能に接続されている。
【００２７】
分割部品３３は、腰として機能する箱形の組立部品３３ａと、この組立部品３３ａの左右の下部に接続された一対の脚部として機能する一対の組立部品３３ｂとから構成されている。組立部品３３ｂは、組立部品３３ａの左右の下部に接続された関節部として機能する組立部品３３ｂ１と、この組立部品３３ｂ１の下に接続された大腿部として機能する組立部品３３ｂ２と、この組立部品３３ｂ２の下部に接続された関節部として機能する組立部品３３ｂ３と、この組立部品３３ｂ３の下部に接続された脛部として機能する組立部品３３ｂ４と、この組立部品３３ｂ４の下部に接続された足部として機能する組立部品３３ｂ５とから構成されている。そして折り畳まれた状態のコアロボット玩具１の下部に、箱形の組立部品３３ａが図示しない雄雌の接続機構を介して着脱可能に接続されている。
【００２８】
折り畳まれた状態で組み込まれたコアロボット玩具１は、発光装置としての発光表示部１１が組立部品３１ａと組立部品３３ａの間に露出するか、あるいは組立て部品３１ａに設けられた窓部（図示せず）を介して露出された状態で、大型ロボット玩具２９内に組み込まれている。
【００２９】
分割部品３１は、コアロボット玩具１に対して複数の分割部品３１，３３を装着して構成した大型ロボット玩具２９の状態で、分割部品３１の操作部３５を操作することにより、コアロボット玩具１のスイッチ１３を操作できるように構成されている。この操作部３５を備えた分割部品３１の内部には、コアロボット玩具１に対して装着された状態で、スイッチ１３を直接的に操作することを可能にする操作機構３７が内蔵されている。複数の組立部品３１ａ，３１ｂの内部には、操作機構３７が３つの操作機構部３７ａ，３７ｂ，３７ｃに分割されて内蔵されている。操作機構部３７ａは、組立部品３１ａ内にあって、スイッチ１３のキートップを押圧操作できるように縦向きで上下動できるようにガイドされたスライド部材３７ａ１と、このスライド部材３７ａ１に嵌められていて該スライド部材３７ａ１が押し下げられた際に自己復帰させるコイルバネ３７ａ２とを備え、スライド部材３７ａ１の先端には組立部品３１ｂ側に向けてテーパ面３７ａ３が設けられて構成されている。操作機構部３７ｂは、組立部品３１ａ内にあって、操作機構部３７ａのスライド部材３７ａ１の先端に直交する向きで水平移動するようにガイドされて端部をスライド部材３７ａ１の先端のテーパ面３７ａ３に対向させたスライド部材３７ｂ１と、このスライド部材３７ｂ１に嵌められていて該スライド部材３７ｂ１が押し出された際に自己復帰させるコイルバネ３７ｂ２とを備えている。スライド部材３７ｂ１が押されでスライドすることおにより、スライド部材３７ａ１のテーパ面３７ａ３を押し下げられるように構成されている。操作機構部３７ｃは、組立部品３１ｂ内にあって、操作機構部３７ｂのスライド部材３７ｂ１の基端に整列させて水平移動するようにガイドされて端部をスライド部材３７ｂ１の基端に対向させたスライド部材３７ｃ１と、このスライド部材３７ｃ１に嵌められていて該スライド部材３７ｃ１が押し出された際に自己復帰させるコイルバネ３７ｃ２とを備えている。スライド部材３７ｃ１が押されてスライドすることにより、スライド部材３７ｂ１がスライドする。この例では、スライド部材３７ｃ１の基端が操作部３５を構成している。このような操作機構３７は、操作部３５の直線的な動きを、方向を変えながらスイッチ１３まで伝達する方向変換型の力伝達機構により構成されている。換言すれば、方向変換型の力伝達機構は、スライド部材３７ｃ１の直線的な動きを、ロボット玩具本体内のスイッチ１３に向かう方向の直線的な動きに変換するように構成されている。
【００３０】
上記のような形態変形玩具では、前述のように、コアロボット玩具１に、外部からスイッチ１３が操作されると発光する発光装置としての発光表示部１１が内蔵されている。そしてコアロボット玩具１及び複数の分割部品３１，３３は、コアロボット玩具１に対して複数の分割部品３１，３３を装着した状態で、分割部品３１の操作部３５を操作することにより、スイッチ１３が操作できるように構成されている。したがって発光表示部１１を含む発光装置を、コアロボット玩具１と大型ロボット玩具２９とで共用することができ、部品点数が少なくなる上、構造が簡単になり、コストの低減を図ることができる。
【００３１】
上記例では、コアロボット玩具１に発光表示部１１を含む発光装置が組み込まれているが、発光装置の代わりに音を発生する音響発生装置をコアロボット玩具に組み込んだ場合にも本発明を適用することができる。また発光装置と音響発生装置の双方を、コアロボット玩具に組み込み、スイッチ１３の操作により発光と音の両方を制御するようにすることもできる。
【００３２】
図４（Ａ），（Ｂ）及び（Ｃ）乃至図９は、本発明をより具体的な実施品に適用して製作した形態変形玩具に関する図である。図４（Ａ），（Ｂ）及び（Ｃ）は実施品に近い形状のコアロボット玩具を拡大して示した正面図、左側面図及び右側面図であり、図５（Ａ），（Ｂ），（Ｃ），（Ｄ）及び（Ｅ）は図４のコアロボット玩具の折り畳み過程を示す説明図であり、図６は実施品に近い形状の大型ロボット玩具の正面図であり、図７は図６の右側面図であり、図８は図６で胸部を構成する分割部品の前面の組立部品を外した状態の正面図であり、図９は図６の大型ロボット玩具の要部の構成を示す一部縦断側面図である。なお、これらの図では、前述した図１（Ａ）及び（Ｂ）乃至図３と対応する構成部品には、図１（Ａ）及び（Ｂ）乃至図３に示した符号の数に１００の数を加えた数の符号を付けて説明を省略する。
【００３３】
図６の大型ロボット玩具１２９では、胸部を構成する分割部品１３１の前面の組立部品１３１ｂはライオンの顔の形状に構成されている。また、図８は、図６に示した胸部を構成する分割部品１３１の前面の組立部品１３１ｂを外した状態を示しており、この状態では組立部品１３１ａの前面にスライド部材１３７ｂ１の端面が露出している。更にこの図では、コアロボット玩具１０１に設けた発光表示部１１１が組立部品１３１ａ内に一部が入るように、コアロボット玩具１０１と組立部品１３１ａの組み立てがなされている。
【００３４】
それ故この実施品では、組立部品１３１ｂからなるライオンの顔の大きく開いた口の内部が、コアロボット玩具１０１に設けた発光表示部１１１の発光により明るくなることにより、大型ロボット玩具１２９が発光表示状態となる。
【００３５】
上記例では、コアロボット玩具及び大型ロボット玩具を人形ロボット玩具で構成した例について示したが、本発明はこれに限定されるものではなく、例えば乗り物ロボット玩具や動物ロボット玩具等の形態変形玩具にも同様に適用することができる。
【図面の簡単な説明】
【００３６】
【図１】（Ａ）及び（Ｂ）は、本発明を実施する基本的な構成のコアロボット玩具の正面図及びその胴部を縦断して示した側面図である。
【図２】図１のコアロボット玩具の折り畳み状態を示す側面図である。
【図３】（Ａ）及び（Ｂ）は、本例で用いる大型ロボット玩具の正面図及びこの大型ロボット玩具の要部構成の一部縦断側面図である。
【図４】（Ａ），（Ｂ）及び（Ｃ）は、本発明を具体的な実施品に適用した実施品のコアロボット玩具を拡大して示した正面図、左側面図及び右側面図である。
【図５】（Ａ），（Ｂ），（Ｃ），（Ｄ）及び（Ｅ）は、実施品のコアロボット玩具の折り畳み過程を示す説明図である。
【図６】実施品の大型ロボット玩具の正面図である。
【図７】図６の大型ロボット玩具の右側面図である。
【図８】図６の大型ロボット玩具で胸部を構成する分割部品の前面の組立部品を外した状態の正面図である。
【図９】実施品の大型ロボット玩具の要部構成を示す縦断面図である。
【符号の説明】
【００３７】
１，１０１  コアロボット玩具
３，１０３  頭部
５，１０５  胴部
７，１０７  腕部
９，１０９  脚部
１１，１１１  発光表示部
１３，１１３  スイッチ
１５，１１５  開口部
１７，１１７  支持体
１９，１１９  プリント回路板
２１，１２１  発光制御回路
２３，１２３  電源回路
２５，１２５  バッテリー
２７，１２７  変位機構
２９，１２９  大型ロボット玩具
３１，１３１  分割部品
３３，１３３  分割部品
３５，１３５  操作部
３７，１３７  操作機構
【図１】
2006346175.tif 000003
【図２】
2006346175.tif 000004
【図３】
2006346175.tif 000005
【図４】
2006346175.tif 000006
【図５】
2006346175.tif 000007
【図６】
2006346175.tif 000008
【図７】
2006346175.tif 000009
【図８】
2006346175.tif 000010
【図９】
2006346175.tif 000011
【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
コアとなるコアロボット玩具に対して他のロボット玩具を分割して得た複数の分割部品を装着することにより大型ロボット玩具を構成する形態変形玩具であって、
前記コアロボット玩具は、外部からスイッチが操作されると発光する発光装置及び／または音を発生する音響発生装置が内蔵されており、
前記コアロボット玩具及び前記複数の分割部品は、前記コアロボット玩具に対して前記複数の分割部品を装着した状態で、前記分割部品の操作部を操作することにより、前記スイッチが操作できるように構成されていることを特徴とする形態変形玩具。
【請求項２】
前記コアロボット玩具は、ロボット玩具本体の内部に前記スイッチ
覆すを備え、前記コアロボット玩具の一つの外装部品を介して前記スイッチが操作されるように構成されており、
前記一つの外装部品は、コアロボット玩具単体で使用されるときには、前記スイッチを操作可能な第１の位置にあり、前記コアロボット玩具に対して前記複数の分割部品を装着する際には、前記スイッチを前記ロボット玩具本体の外部に露出させることができる第２の位置に変位し得るように前記ロボット玩具本体に対して変位機構を介して取り付けられており、
前記操作部を備えた前記分割部品の内部には、前記コアロボット玩具に対して装着された状態で、前記スイッチを直接的に操作することを可能にする操作機構が内蔵されている請求項１に記載の形態変形玩具。
【請求項３】
前記操作部を備えた前記分割部品は、複数の組立部品から構成されており、
前記複数の組立部品の内部には、前記操作機構が分割されて内蔵されている請求項２に記載の形態変形玩具。
【請求項４】
前記コアロボット玩具は、頭部と、胴部と、一対の腕部と、一対の脚部とを備えた人形ロボット玩具であり、
前記胴部の正面側に発光表示部が設けられており、
前記一つの外装部品は前記頭部を含み前記変位機構を介して前記ロボット玩具本体に連結された構造を有しており、
前記コアロボット玩具単体で使用されるときには、前記頭部が前記胴部の上に位置し、前記コアロボット玩具に前記複数の分割部品が装着される際には、前記頭部が前記胴部の背面側に位置して前記スイッチを露出させるように前記変位機構は構成され、
前記コアロボット玩具に前記複数の分割部品が装着される際に、前記一対の脚部が前記胴部の背面に沿って位置し得るように、前記一対の脚部が変形可能に構成され、
前記コアロボット玩具に前記複数の分割部品が装着された状態で、前記コアロボット玩具は前記スイッチが上方に位置する姿勢で前記大型ロボット玩具の胴部の一部を構成し、
前記大型ロボット玩具の頭部と前記操作部とを含む前記分割部品の内部には、前記コアロボット玩具に対して装着された状態で、前記スイッチを直接的に操作することを可能にする操作機構が内蔵されている請求項２に記載の形態変形玩具。
【請求項５】
前記操作部を備えた前記分割部品は、複数の組立部品から構成されており、
前記複数の組立部品の内部には、前記操作機構が分割されて内蔵され、
前記操作機構は、前記操作部の直線的な動きを、方向を変えながら前記スイッチまで伝達する方向変換型の力伝達機構によって構成されている請求項２または４に記載の形態変形玩具。
【請求項６】
前記操作部は前記胴部の正面側から背面側に向かって押し込まれるスライド部材であり、前記方向変換型の力伝達機構は、前記スライド部材の直線的な動きを、前記ロボット玩具本体内の前記スイッチに向かう方向の直線的な動きに変換するように構成されている請求項５に記載の形態変形玩具。
【手続補正２】
【補正対象書類名】明細書
【補正対象項目名】全文
【補正方法】変更
【補正の内容】
【発明の詳細な説明】
【技術分野】
【０００１】
本発明は、コアとなるコアロボット玩具に対して他のロボット玩具を分割して得た複数の分割部品を装着することにより大型ロボット玩具を構成する形態変形玩具に関するものである。
【背景技術】
【０００２】
実開平６−６６７８９号公報には、共通の光源を有していて、形態が変形すると発光する箇所が異なる形態変形玩具の一例が示されている。最近、コアとなるコアロボット玩具に対して他のロボット玩具を分割して得た複数の分割部品を装着することにより大型ロボット玩具を構成する形態変形玩具が提案されている。
【特許文献１】実開平６−６６７８９号公報
【発明の開示】
【発明が解決しようとする課題】
【０００３】
しかしながら、従来のコアロボット玩具を用いる形態変形玩具では、コアロボット玩具のときも、また大型ロボット玩具のときも発光及び／または音を発生するものは殆どない。これは音響発生装置や発光装置を、コアロボット玩具と大型ロボット玩具の双方に設けた構造にすると、構造が複雑化してコスト高になる問題が発生するためである。
【０００４】
本発明の目的は、発光装置及び／または音響発生装置をコアロボット玩具と大型ロボット玩具の双方で共用できる形態変形玩具を提供することにある。
【０００５】
本発明の他の目的は、発光装置及び／または音響発生装置をコアロボット玩具に装備して、大型ロボット玩具でも共用できるように構成した形態変形玩具を提供することにある。
【０００６】
本発明の他の目的は、発光装置及び／または音響発生装置を操作する操作部を備えた分割部品の機能または形態を変化させることができ、しかもこのようにしても発光装置及び／または音響発生装置の操作に支障が生じない形態変形玩具を提供することにある。
【０００７】
本発明の他の目的は、発光装置及び／または音響発生装置をコアロボット玩具に装備しても、大型ロボット玩具からのスイッチ操作を容易に行える形態変形玩具を提供することにある。
【０００８】
本発明の他の目的は、発光装置及び／または音響発生装置を操作する力の伝達方向を変えて伝えることができる形態変形玩具を提供することにある。
【課題を解決するための手段】
【０００９】
本発明の形態変形玩具は、コアとなるコアロボット玩具に対して他のロボット玩具を分割して得た複数の分割部品を装着することにより大型ロボット玩具を構成する。そしてコアロボット玩具は、外部からスイッチが操作されると発光する発光装置及び／または音を発生する音響発生装置を内蔵する。またコアロボット玩具及び他のロボット玩具を分割して得た複数の分割部品は、コアロボット玩具に対して複数の分割部品を装着した状態で、分割部品の操作部を操作することにより、スイッチが操作できるように構成されている。
【００１０】
本発明の形態変形玩具によれば、コアロボット玩具に内蔵した発光装置及び／または音響発生装置を、大型ロボット玩具においても使用できるので、大型ロボット玩具のための発光装置及び／または音響発生装置を用意する必要がなく、形態変形玩具のコストを低減することができる。
【００１１】
なおコアロボット玩具は、ロボット玩具本体の内部にスイッチを備え、コアロボット玩具の一つの外装部品（例えば人形ロボットであれば頭部等）を介してスイッチが操作されるように構成されているのが好ましい。なお、本願明細書で、ロボット玩具本体とは、少なくともスイッチを含むコアロボット玩具の構成部品をいう。この場合、コアロボット玩具単体で使用されるときには、スイッチを操作可能な第１の位置にあり、コアロボット玩具に対して複数の分割部品を装着して大型ロボット玩具が構成されているときには、スイッチをロボット玩具本体の外部に露出させることができる第２の位置に変位し得るように、一つの外装部品は、ロボット玩具本体に対して変位機構を介して取り付けられている。そして操作部を備えた分割部品の内部には、コアロボット玩具に対して装着された状態で、スイッチを直接的に操作することを可能にする操作機構を内蔵しておく。このような構成にすると、コアロボット玩具の一部を構成する外装部品を介さずに、直接大型ロボット玩具を構成するための分割部品により直接スイッチを操作することができる。そのためコアロボット玩具の組立精度及びコアロボット玩具と複数の分割部品との組立精度があまり高くない場合であっても、確実に大型ロボット玩具の操作部を操作することにより、スイッチを操作することができる。
【００１２】
また、操作部を備えた分割部品は、複数の組立部品から構成されていてもよい。この場合、複数の組立部品の内部には、操作機構を分割して内蔵することが好ましい。このような構成にすると、発光装置及び／または音響発生装置を操作する操作部を備えた分割部品を常に一体の物として構成する必要がなくなるため、その分割部品の製造が容易になる上、複数の組立部品の組み合わせを変えることにより、分割部品の形態を変更することもできる。しかも各組立部品の内部に操作機構は分割して内蔵されているため、組立部品の組み合わせを変えても、発光装置及び／または音響発生装置の操作には支障がない。
【００１３】
また、コアロボット玩具が人形ロボット玩具であれば、コアロボット玩具は、頭部と、胴部と、一対の腕部と、一対の脚部とを備える。そして胴部の正面側に発光表示部を設けることができる。この場合、前述の一つの外装部品は、頭部を含み変位機構を介してロボット玩具本体に連結された構造とする。コアロボット玩具単体で使用されるときには、頭部が胴部の上に位置する。そして、コアロボット玩具に複数の分割部品が装着される際には、頭部が胴部の背面側に位置してスイッチを露出させるように変位機構を構成する。そしてコアロボット玩具に複数の分割部品が装着される際には、一対の脚部が胴部の背面に沿って位置し得るように、一対の脚部を変形可能に構成する。なおコアロボット玩具に複数の分割部品が装着された状態で、コアロボット玩具はスイッチが上方に位置する姿勢で大型ロボット玩具の胴部の一部を構成する。この場合、大型ロボット玩具の頭部と操作部とを含む分割部品の内部には、コアロボット玩具に対して装着された状態で、スイッチを直接的に操作することを可能にする操作機構を内蔵するのが好ましい。このように大型ロボット玩具を構成すると、大型ロボット玩具を正面から見てもっとも目立ち且つ操作し易い位置となる大型ロボットの上半身部分に操作部を配置しても、コアロボット玩具に設けたスイッチを確実に操作することが可能になる。またコアロボット玩具を小型化して大型ロボット玩具に組み込むことができるので、大型ロボット玩具の外観を見ても、コアロボット玩具が存在していることが分かり難くなって、形態変形玩具を見る者の嗜好を高めることができる。
【００１４】
また、前述のように、操作部を備えた分割部品を複数の組立部品から構成する場合に、複数の組立部品の内部に操作機構を分割して内蔵する場合には、操作機構は、操作部の直線的な動きを、方向を変えながらスイッチまで伝達する方向変換型の力伝達機構によって構成するのが好ましい。このような力伝達機構を設けると、複雑な機構を用いずに、簡単な機構で発光装置及び／または音響発生装置を操作することを可能になる。
【００１５】
更に、操作部は大型ロボット玩具の胴部の正面側から背面側に向かって押し込まれるスライド部材により構成することができる。この場合、方向変換型の力伝達機構は、スライド部材の直線的な動きを、ロボット玩具本体内のスイッチに向かう方向の直線的な動きに変換するように構成されていることが好ましい。このように構成すると、発光装置及び／または音響発生装置を操作する力の伝達を簡単な機構で実現することができ、少ない部品点数で、大型ロボット玩具を構成することができる形態変形玩具を得ることができる。
【発明の効果】
【００１６】
本発明に係る形態変形玩具では、コアロボット玩具に、外部からスイッチが操作されると発光する発光装置及び／または音を発生する音響発生装置が内蔵されており、コアロボット玩具及び複数の分割部品は、コアロボット玩具に対して複数の分割部品を装着した状態で、分割部品の操作部を操作することにより、スイッチが操作できるように構成されているので、発光装置及び／または音響発生装置をコアロボット玩具と大型ロボット玩具とで共用することができる。そのため部品点数が少なくなって、形態変形玩具のコストの低減を図ることができる。
【発明を実施するための最良の形態】
【００１７】
以下、本発明の形態変形玩具の最良の形態を図面を参照しながら詳細に説明する。
【００１８】
図１（Ａ）及び（Ｂ）乃至図３（Ａ）及び（Ｂ）は、本実施の形態の形態変形玩具の構成を説明するために用いる図である。図１（Ａ）及び（Ｂ）は、本実施の形態で用いるコアロボット玩具の正面図及びその胴部を縦断して示した側面図であり、図２は本実施の形態で用いるコアロボット玩具の折り畳み状態を示す側面図であり、図３（Ａ）及び（Ｂ）は本実施の形態の形態変形玩具が大型ロボット玩具を構成している状態の正面図及びこの大型ロボット玩具の要部の構成の一部縦断側面図である。
【００１９】
まず、コアロボット玩具１は、図１（Ａ）及び（Ｂ）に示すように、頭部３と、この頭部３を上部に備えた胴部５と、この胴部５の左右に関節部７ａを介して取り付けられた一対の腕部７と、この胴部５の下部に関節部９ａを介して取り付けられた一対の脚部９とを備えた人形ロボット玩具である。胴部５の正面側には、発光装置の一部を構成する発光表示部１１が設けられている。発光表示部１１は、例えば発光ダイオードやランプ等で構成されている。発光装置は、この発光表示部１１と、後述するスイッチ１３、プリント回路板１９及び電源回路２３、バッテリー２５とから構成される。
【００２０】
コアロボット玩具１は、本例では胴部５よりなるロボット玩具本体の内部にスイッチ１３を備え、コアロボット玩具１の一つの外装部品である頭部３を介してスイッチ１３が操作されるように構成されている。即ち、本例では、頭部３を押し下げることによりスイッチ１３が操作されるようになっている。胴部５は、内部が空洞になった胴部ケース５ａを備えている。この胴部ケース５ａの上部には、開口部１５が設けられている。この開口部１５に臨ませて胴部ケース５ａ内には、スイッチ１３が回路基板等からなる支持体１７で支持されて配置されている。この胴部ケース５ａ内には、プリント回路板１９が縦向きに内蔵されて支持されている。このプリント回路板１９には、スイッチ１３が操作されたとき発光表示部１１を発光させる発光制御回路２１と、この発光制御回路２１に給電する電源回路２３が設けられている。また、胴部ケース５ａ内には、電源回路２３に給電する乾電池の如きバッテリー２５が内蔵されている。
【００２１】
前述した一つの外装部品である頭部３は、ロボット玩具本体を構成する胴部５に対して変位機構２７を介して取り付けられている。変位機構２７は、コアロボット玩具１が単体で使用されるときには、スイッチ１３の操作が可能な第１の位置に頭部３が位置し、コアロボット玩具１に対して後述する複数の分割部品を装着する際には、スイッチ１３をロボット玩具本体としての胴部５の外部に露出させることができる第２の位置に頭部が変位し得るように胴部５に対して頭部３を取り付ける構造を有している。変位機構２７は、頭部３を上面に備えて下方に向かって変位することによりスイッチ１３を操作する支持板２７ａと、この支持板２７ａの一端を胴部５の肩部で回動自在に支持するヒンジ部２７ｂとで構成されている。図２に示すように、開口部１５は支持板２７ａで塞がれるようになっている。なおスイッチ１３は、内部にばね機構（復元機構）を備えており、キートップに加わる力が解除されると、ばね機構によりキートップを元の位置に戻す機能を有している。したがって支持板２７ａに加わる力が解除されると、支持板２７ａは、スイッチ１３のばね機構により元の位置に復帰する。
【００２２】
ここでスイッチ１３を操作可能な第１の位置とは、頭部３が図１（Ａ）及び（Ｂ）に示すように胴部５の上にほぼ直立している位置である。スイッチ１３をロボット玩具本体としての胴部５の外部に露出させることができる第２の位置とは、頭部３が図２に示すように変位機構２７のヒンジ部２７ｂを介して変位して胴部５の後側に存在する位置である。
【００２３】
各腕部７は、関節部７ａを介して胴部５に取り付けられている。また、各脚部９は、大腿部９ａと脛部９ｂと足部９ｃを備え、大腿部９ａは関節部９ｄで胴部５に接続され、大腿部９ａと脛部９ｂとは関節部９ｅで相互に接続されている。
【００２４】
このようなコアロボット玩具１の各関節は、図２に示すように、頭部３を変位機構２７のヒンジ部２７ｂを介して変位させて胴部５の後側に存在させ、且つ各脚部９を折り曲げて胴部５の後側に存在させて、コンパクトに折り畳むことができるように構成されている。また、このコアロボット玩具１は、図１（Ａ）及び（Ｂ）に示す姿勢で、頭部３を押し下げると、支持板２７ａがヒンジ部２７ｂを介して下向きに回動してスイッチ１３を押し、発光表示部１１を発光させることができる。
【００２５】
大型ロボット玩具２９は、図３（Ａ）及び（Ｂ）に示すように、コアとなるコアロボット玩具１に対して他のロボット玩具を分割して得た複数の分割部品３１，３３を装着することにより構成されている。即ち、コアロボット玩具１は、図２及び図３（Ｂ）に示すようにコンパクトに折り畳まれた状態で、その上部に分割部品３１が図示しない雄雌の接続機構で着脱可能に接続され、その下部に分割部品３３が図示しない雄雌の接続機構で着脱可能に接続されている。
【００２６】
分割部品３１は、胸部として機能する箱形の組立部品３１ａと、この組立部品３１ａの前に取り付けられた箱形の組立部品３１ｂと、組立部品３１ａの上部に取り付けられて頭部として機能する組立部品３１ｃと、組立部品３１ａの左右に関節部３１ｄを介して取り付けられて腕部として機能する組立部品３１ｅとから構成されている。折り畳まれた状態のコアロボット玩具１の上部に、箱形の組立部品３１ａの下部が図示しない雄雌の接続機構を介して着脱可能に接続されている。
【００２７】
分割部品３３は、腰として機能する箱形の組立部品３３ａと、この組立部品３３ａの左右の下部に接続された一対の脚部として機能する一対の組立部品３３ｂとから構成されている。組立部品３３ｂは、組立部品３３ａの左右の下部に接続された関節部として機能する組立部品３３ｂ１と、この組立部品３３ｂ１の下に接続された大腿部として機能する組立部品３３ｂ２と、この組立部品３３ｂ２の下部に接続された関節部として機能する組立部品３３ｂ３と、この組立部品３３ｂ３の下部に接続された脛部として機能する組立部品３３ｂ４と、この組立部品３３ｂ４の下部に接続された足部として機能する組立部品３３ｂ５とから構成されている。そして折り畳まれた状態のコアロボット玩具１の下部に、箱形の組立部品３３ａが図示しない雄雌の接続機構を介して着脱可能に接続されている。
【００２８】
折り畳まれた状態で組み込まれたコアロボット玩具１は、発光装置としての発光表示部１１が組立部品３１ａと組立部品３３ａの間に露出するか、あるいは組立て部品３１ａに設けられた窓部（図示せず）を介して露出された状態で、大型ロボット玩具２９内に組み込まれている。
【００２９】
分割部品３１は、コアロボット玩具１に対して複数の分割部品３１，３３を装着して構成した大型ロボット玩具２９の状態で、分割部品３１の操作部３５を操作することにより、コアロボット玩具１のスイッチ１３を操作できるように構成されている。この操作部３５を備えた分割部品３１の内部には、コアロボット玩具１に対して装着された状態で、スイッチ１３を直接的に操作することを可能にする操作機構３７が内蔵されている。複数の組立部品３１ａ，３１ｂの内部には、操作機構３７が３つの操作機構部３７ａ，３７ｂ，３７ｃに分割されて内蔵されている。操作機構部３７ａは、組立部品３１ａ内にあって、スイッチ１３のキートップを押圧操作できるように縦向きで上下動できるようにガイドされたスライド部材３７ａ１と、このスライド部材３７ａ１に嵌められていて該スライド部材３７ａ１が押し下げられた際に自己復帰させるコイルバネ３７ａ２とを備え、スライド部材３７ａ１の先端には組立部品３１ｂ側に向けてテーパ面３７ａ３が設けられて構成されている。操作機構部３７ｂは、組立部品３１ａ内にあって、操作機構部３７ａのスライド部材３７ａ１の先端に直交する向きで水平移動するようにガイドされて端部をスライド部材３７ａ１の先端のテーパ面３７ａ３に対向させたスライド部材３７ｂ１と、このスライド部材３７ｂ１に嵌められていて該スライド部材３７ｂ１が押し出された際に自己復帰させるコイルバネ３７ｂ２とを備えている。スライド部材３７ｂ１が押されでスライドすることおにより、スライド部材３７ａ１のテーパ面３７ａ３を押し下げられるように構成されている。操作機構部３７ｃは、組立部品３１ｂ内にあって、操作機構部３７ｂのスライド部材３７ｂ１の基端に整列させて水平移動するようにガイドされて端部をスライド部材３７ｂ１の基端に対向させたスライド部材３７ｃ１と、このスライド部材３７ｃ１に嵌められていて該スライド部材３７ｃ１が押し出された際に自己復帰させるコイルバネ３７ｃ２とを備えている。スライド部材３７ｃ１が押されてスライドすることにより、スライド部材３７ｂ１がスライドする。この例では、スライド部材３７ｃ１の基端が操作部３５を構成している。このような操作機構３７は、操作部３５の直線的な動きを、方向を変えながらスイッチ１３まで伝達する方向変換型の力伝達機構により構成されている。換言すれば、方向変換型の力伝達機構は、スライド部材３７ｃ１の直線的な動きを、ロボット玩具本体内のスイッチ１３に向かう方向の直線的な動きに変換するように構成されている。
【００３０】
上記のような形態変形玩具では、前述のように、コアロボット玩具１に、外部からスイッチ１３が操作されると発光する発光装置としての発光表示部１１が内蔵されている。そしてコアロボット玩具１及び複数の分割部品３１，３３は、コアロボット玩具１に対して複数の分割部品３１，３３を装着した状態で、分割部品３１の操作部３５を操作することにより、スイッチ１３が操作できるように構成されている。したがって発光表示部１１を含む発光装置を、コアロボット玩具１と大型ロボット玩具２９とで共用することができ、部品点数が少なくなる上、構造が簡単になり、コストの低減を図ることができる。
【００３１】
上記例では、コアロボット玩具１に発光表示部１１を含む発光装置が組み込まれているが、発光装置の代わりに音を発生する音響発生装置をコアロボット玩具に組み込んだ場合にも本発明を適用することができる。また発光装置と音響発生装置の双方を、コアロボット玩具に組み込み、スイッチ１３の操作により発光と音の両方を制御するようにすることもできる。
【００３２】
図４（Ａ），（Ｂ）及び（Ｃ）乃至図９は、本発明をより具体的な実施品に適用して製作した形態変形玩具に関する図である。図４（Ａ），（Ｂ）及び（Ｃ）は実施品に近い形状のコアロボット玩具を拡大して示した正面図、左側面図及び右側面図であり、図５（Ａ），（Ｂ），（Ｃ），（Ｄ）及び（Ｅ）は図４のコアロボット玩具の折り畳み過程を示す説明図であり、図６は実施品に近い形状の大型ロボット玩具の正面図であり、図７は図６の右側面図であり、図８は図６で胸部を構成する分割部品の前面の組立部品を外した状態の正面図であり、図９は図６の大型ロボット玩具の要部の構成を示す一部縦断側面図である。なお、これらの図では、前述した図１（Ａ）及び（Ｂ）乃至図３と対応する構成部品には、図１（Ａ）及び（Ｂ）乃至図３に示した符号の数に１００の数を加えた数の符号を付けて説明を省略する。
【００３３】
図６の大型ロボット玩具１２９では、胸部を構成する分割部品１３１の前面の組立部品１３１ｂはライオンの顔の形状に構成されている。また、図８は、図６に示した胸部を構成する分割部品１３１の前面の組立部品１３１ｂを外した状態を示しており、この状態では組立部品１３１ａの前面にスライド部材１３７ｂ１の端面が露出している。更にこの図では、コアロボット玩具１０１に設けた発光表示部１１１が組立部品１３１ａ内に一部が入るように、コアロボット玩具１０１と組立部品１３１ａの組み立てがなされている。
【００３４】
それ故この実施品では、組立部品１３１ｂからなるライオンの顔の大きく開いた口の内部が、コアロボット玩具１０１に設けた発光表示部１１１の発光により明るくなることにより、大型ロボット玩具１２９が発光表示状態となる。
【００３５】
上記例では、コアロボット玩具及び大型ロボット玩具を人形ロボット玩具で構成した例について示したが、本発明はこれに限定されるものではなく、例えば乗り物ロボット玩具や動物ロボット玩具等の形態変形玩具にも同様に適用することができる。
【図面の簡単な説明】
【００３６】
【図１】（Ａ）及び（Ｂ）は、本発明を実施する基本的な構成のコアロボット玩具の正面図及びその胴部を縦断して示した側面図である。
【図２】図１のコアロボット玩具の折り畳み状態を示す側面図である。
【図３】（Ａ）及び（Ｂ）は、本例で用いる大型ロボット玩具の正面図及びこの大型ロボット玩具の要部構成の一部縦断側面図である。
【図４】（Ａ），（Ｂ）及び（Ｃ）は、本発明を具体的な実施品に適用した実施品のコアロボット玩具を拡大して示した正面図、左側面図及び右側面図である。
【図５】（Ａ），（Ｂ），（Ｃ），（Ｄ）及び（Ｅ）は、実施品のコアロボット玩具の折り畳み過程を示す説明図である。
【図６】実施品の大型ロボット玩具の正面図である。
【図７】図６の大型ロボット玩具の右側面図である。
【図８】図６の大型ロボット玩具で胸部を構成する分割部品の前面の組立部品を外した状態の正面図である。
【図９】実施品の大型ロボット玩具の要部構成を示す縦断面図である。
【符号の説明】
【００３７】
１，１０１  コアロボット玩具
３，１０３  頭部
５，１０５  胴部
７，１０７  腕部
９，１０９  脚部
１１，１１１  発光表示部
１３，１１３  スイッチ
１５，１１５  開口部
１７，１１７  支持体
１９  プリント回路板
２１，１２１  発光制御回路
２３，１２３  電源回路
２５，１２５  バッテリー
２７，１２７  変位機構
２９，１２９  大型ロボット玩具
３１，１３１  分割部品
３３，１３３  分割部品
３５，１３５  操作部
３７，１３７  操作機構
【手続補正３】
【補正対象書類名】図面
【補正対象項目名】図３
【補正方法】変更
【補正の内容】
【図３】
2006346175.tif 000012
【手続補正４】
【補正対象書類名】図面
【補正対象項目名】図４
【補正方法】変更
【補正の内容】
【図４】
2006346175.tif 000013
【手続補正５】
【補正対象書類名】図面
【補正対象項目名】図９
【補正方法】変更
【補正の内容】
【図９】
2006346175.tif 000014